(57)【特許請求の範囲】
【請求項１】
電柱に設けられた支線を内部に挿通した状態で前記支線に装着される筒状の蔓性植物巻き付き防止具を内部の中空に挿通する環状枠部であって、環の一部が切れていることにより該蔓性植物巻き付き防止具の直径に合わせて自身の内径を調整可能な環状枠部と、
前記環状枠部から外方に向かって延出した蔓性植物の巻き上がりを防止する鍔部であって、前記環状枠部の内径を前記蔓性植物巻き付き防止具の直径に合わせて調整可能にするための重ね代を有する鍔部と、を備えることを特徴とする蔓性植物巻き上がりガード。
【請求項２】
前記蔓性植物巻き付き防止具は、従来からあるものであり、
前記環状枠部は、従来からある前記蔓性植物巻き付き防止具の直径に合わせて自身の内径を調整する、
請求項１に記載の蔓性植物巻き上がりガード。
【請求項３】
前記鍔部は、前記支線に巻き付いた蔓性植物側に向かうように、前記環状枠部に対して傾いて取り付けられていることを特徴とする請求項１または２に記載の蔓性植物巻き上がりガード。
【請求項４】
前記環状枠部の外側面側に配され、前記環状枠部を前記蔓性植物巻き付き防止具に固定する固定部を更に備える
請求項１から３の何れかに記載の蔓性植物巻き上がりガード。
【請求項５】
前記固定部は、固定バンドである、
請求項４に記載の蔓性植物巻き上がりガード。
【請求項６】
前記環状枠部は、前記固定バンドを挿通する孔を有する、
請求項５に記載の蔓性植物巻き上がりガード。
【請求項７】
前記環状枠部の内側面に沿って弾性部材が配されていることを特徴とする請求項１から６の何れかに記載の蔓性植物巻き上がりガード。
【発明の詳細な説明】
【技術分野】
【０００１】
本発明は、電柱に設けられた支線及び電柱への蔓性植物の巻き上がりを防ぐ技術に関する。
【背景技術】
【０００２】
山野や植物が繁茂した場所に立設された電柱には、葛や蔦等の蔓性植物が巻き付いてくる場合がある。特に、蔓性植物が、地上から電柱の上部まで斜めに張架されている支線に巻き付いて電柱の上部まで巻き上がると、地絡事故や短絡事故を引き起こしたり、架設作業に支障を来したりすることがある。
【０００３】
そのため、支線に巻き付く蔓性植物の巻き上がりを防止するための装置として特許文献１に記載の蔓性植物の巻き上がり防止装置や特許文献２に記載の蔓性植物のよじ登り防止具が発明された。これらの発明は、支線に取り付ける装置であり、全体の形状が円筒型に形成され、装置内部に支線を挿通して取り付ける防止装置／防止具であった。
【０００４】
これらの防止装置／防止具を支線に取り付けることにより、蔓性植物が支線に巻き付いて電柱の上部まで這い上がる進路を阻むことができる。
【特許文献１】特開平１１−９５号公報
【特許文献２】特開２００３−４７３８７号公報
【発明の開示】
【発明が解決しようとする課題】
【０００５】
しかしながら、成長の旺盛な蔓性植物（葛，蔓，蔦等）は、上記したような防止装置／防止具の外側から更に巻き上がって、電柱上部の充電部分（例えば柱上変圧器や高圧線等）に到達してしまう場合もあった。
【０００６】
蔓性植物が充電部分に接触すると、地絡事故や短絡事故を引き起こす虞があった。
【０００７】
このような事態を防ぐためには、作業員が定期的に巡視し、蔓性植物が電柱の上部まで成長する前に発見し伐採するという作業が必要となる。
【０００８】
しかしながら、この作業は、一回の作業に平均２０分程度要するため、時間も労力も決して少ないものではなかった。
【０００９】
そこで本発明は、蔓性植物が支線を伝って電柱へ巻き付くことを未然に防止することができる蔓性植物巻き上がりガードを提供することを課題とする。
【課題を解決するための手段】
【００１０】
本発明は上記課題に鑑みてなされたものであり、すなわち本発明は、電柱に設けられた支線を内部に挿通した状態で前記支線に装着される蔓性植物巻き付き防止具を内部の中空に挿通する環状枠部と、環状枠部から外方に向かって延出した鍔部と、環状枠部の外側面側に配され、環状枠部を、蔓性植物巻き付き防止具に固定する固定部とを備えることを特徴とする。
【００１１】
つまり、本発明の蔓性植物巻き上がりガードは、従来からある、筒型の蔓性植物巻き付き防止具に取り付けて、その防止具に巻き付く蔓性植物の巻き上がりを防ぐためのもので
ある。
【００１２】
本発明によれば、従来の蔓性植物巻き付き防止具で阻止できない蔓性植物の巻き上がりを汎用的に阻止することができる。
【００１３】
また、本発明に係る鍔部は、支線に巻き付いた蔓性植物側に向かうように、環状枠部に対して傾いて取り付けられていると好ましい。
【００１４】
このように、鍔部が支線に巻き付いた蔓性植物に向かって広がっているため、鍔部の下から這い上がってきた蔓性植物がそれよりも上に這い上がることを防止することができる。
【００１５】
また、本発明に係る環状枠部の内側面に沿って弾性部材が配されていると好ましい。弾性部材は、蔓性植物巻き付き防止具に環状枠部を取り付けたときの滑り止めの役割を果たす。
【発明の効果】
【００１８】
本発明によれば、蔓性植物が支線を伝って電柱へ巻き付くことを未然に防止することができる蔓性植物巻き上がりガードを提供することが可能となる。
【発明を実施するための最良の形態】
【００１９】
以下、本実施形態における蔓性植物巻き上がりガード（以下、巻き上がりガードと称す）について図面を参照し詳説する。
【００２０】
図１に示すように、本実施形態の巻き上がりガード１は、全体が鍔のある帽子のような形状を成している。そして、本実施形態の巻き上がりガード１は、蔓性植物巻き付き防止具２に取り付けて使用する。
【００２１】
図２，３に示すように、蔓性植物巻き付き防止具２は、筒状の周壁２ａと、周壁２ａの軸線方向両端を塞ぐ二つの端壁２ｂ、２ｃとからなる本体を有し、全体形状が円筒型を成している。尚、本体は、支線の態様に応じて、径Ａを１５０ｍｍ又は２００ｍｍ、長さＢを１０００ｍｍから１５００ｍｍとすることができる。
【００２２】
また、蔓性植物巻き付き防止具２の本体は、縦方向から二分割されており、一側がヒンジ３ａ〜３ｄを介して接続されている。ヒンジ３ａ〜３ｄを回動中心として本体は開閉動作を行う。
【００２３】
さらに、蔓性植物巻き付き防止具２の本体の内部には、鋸歯状の歯と逆転止めの爪とを有する爪歯車を備えた滑落防止装置４が設けられている。この滑落防止装置４に支線Ｓ（図１参照）を引っ掛けることにより、蔓性植物巻き付き防止具２を支線Ｓに取り付ける。
【００２４】
そして、縦方向に二分割されている蔓性植物巻き付き防止具２を固定するために、結束バンド５ａ〜５ｃを本体の外側から巻き付けて締め付ける。このようにして蔓性植物巻き付き防止具２は支線Ｓに取り付けられる
【００２５】
次に、図４に示すように、この巻き上がりガード１は、蔓性植物巻き付き防止具２を内部の中空に挿通する環状枠部６と、環状枠部６の下縁から外方に向かって延出した鍔部７と、環状枠部６の外側面側に配され、環状枠部６を、蔓性植物巻き付き防止具２に固定する固定バンド（固定部）８とを備えている。尚、本実施形態の巻き上がりガード１は、蔓性植物巻き付き防止具２の形状及びサイズに合わせて、例えば、環状枠部６の内径Ｃを２１０ｍｍ，鍔部７の下端部の内径Ｄを４５０ｍｍとすることができる。
【００２６】
さらに、巻き上がりガード１の本体には、厚さ１ｍｍのシート状の光不透過性材料（例えば黒色のポリエチレン）が用いられている。これにより、蔓性植物が、鍔部７の下まで這い上がってきたとしても、光が供給されないためそれ以上の蔓性植物の成長を阻止することができる。
【００２７】
また、環状枠部６の内側面には、ゴムスポンジ（弾性部材）９が配されている。このゴムスポンジ９は、蔓性植物巻き付き防止具２に環状枠部６を取り付けた際の滑り止め兼スペーサーの役割を果たす。
【００２８】
さらに、環状枠部６の側面には、固定バンド８を挿通するための孔（不図示）が等間隔で複数形成されている。これらの孔に固定バンド８を挿通した状態で、環状枠部６の中空に蔓性植物巻き付き防止具２を挿通させて、所定の位置で固定バンド８を締め付けて、巻き上がりガード１を蔓性植物巻き付き防止具２に対して取り付ける。尚、固定バンド８にはステンレスバンドを好適に用いることができる。
【００２９】
また、鍔部７は下方に向かって末広がりとなるように、環状枠部６に対して鈍角の角度を有している。このように鍔部７に角度を設けることにより、蔓性植物が蔓性植物巻き付き防止具２の上を鍔部７の下まで這い上がってきた場合において蔓性植物がそれよりも上に這い上がることを積極的に防止できるとともに、雨水が鍔部７の上にたまることを防止することができる。
【００３０】
また、図５に示すように、本実施形態の巻き上がりガード１は、環状枠部６と鍔部７とが一枚のシート状の部材により形成され、そのシート状の部材の両端部をビス等により留めて、全体形状が帽子のような形状になるようにしている。
【００３１】
また、巻き上がりガード１のその他の態様には、図６に示すように、環状枠部６と鍔部７とが一枚のシート状の部材により形成され、鍔部７に重ね代、すなわち、鍔部７が環状枠部６より長く形成されているものが例示できる。
【００３２】
このような態様の巻き上がりガード１は、例えば、直径の小さな（例えば直径１５０ｍｍ）蔓性植物巻き付き防止具２に取り付ける際に、環状枠部６および鍔部７の両端部を重ね合わせることで調節でき、汎用性が高い。また、鍔部７に重ね代を設けたことで、その部分から蔓性植物が侵入することを防止できる。
【００３３】
また、巻き上がりガード１のさらにその他の態様には、図７に示すように、巻き上がりガード１の環状枠部６と鍔部７との部分を半分に分割（二分割）したものを例示できる。このような分割タイプの巻き上がりガード１は、円筒型の巻き付き防止具だけでなく電柱に直接取り付けることができる。
【００３４】
以上のように、本実施形態の巻き上がりガード１を蔓性植物巻き付き防止具２に取り付けることにより、蔓性植物巻き付き防止具２に巻き付き這い上がってきた蔓性植物のそれ以上の巻き付き及び這い上がりを防止することができる。これにより、蔓性植物が電柱の上部まで巻き上がり、柱上変圧器や高圧線等の充電部に絡みつき起こる地絡事故や短絡事故を防ぐことができる。
【００３６】
また、分割タイプの巻き上がりガードとして二分割のものを例示したが、取り付ける部分（電柱等）のサイズにより三分割にしても、四分割にしてもよい。
【図面の簡単な説明】
【００３７】
【図１】本実施形態の蔓性植物巻き上がりガードを蔓性植物巻き付き防止具に取り付けた状態の図である。
【図２】本実施形態に係る蔓性植物巻き付き防止具の正面図である。
【図３】図２の側面図である。
【図４】本実施形態の蔓性植物巻き上がりガードの斜視図である。
【図５】本実施形態の蔓性植物巻き上がりガードの本体の斜視図である。
【図６】その他の態様の蔓性植物巻き上がりガードの本体の斜視図である。
【図７】その他の態様の蔓性植物巻き上がりガードの本体の斜視図である。
【符号の説明】
【００３８】
１  蔓性植物巻き上がりガード
２  蔓性植物巻き付き防止具
２ａ  周壁
２ｂ，２ｃ  端壁
３ａ〜３ｄ  ヒンジ
４  滑落防止装置
５ａ〜５ｃ  結束バンド
６  環状枠部
７  鍔部
８  固定バンド（固定部）
９  ゴムスポンジ（弾性部材）
Ｓ  支線
【要約】
【課題】本発明は、蔓性植物が支線を伝って電柱へ巻き付くことを未然に防止することができる蔓性植物巻き上がりガードを提供することを課題とする。
【解決手段】本発明の蔓性植物巻き上がりガード１は、蔓性植物巻き付き防止具を内部の
中空に挿通する環状枠部６と、環状枠部６の下縁から外方に向かって延出した鍔部７と、環状枠部６の外側面側に配され、環状枠部６を、蔓性植物巻き付き防止具に固定する固定バンド８とを備えていることを特徴とする。
【選択図】図６
0004086881.tif 000002
【図１】
0004086881.tif 000003
【図２】
0004086881.tif 000004
【図３】
0004086881.tif 000005
【図４】
0004086881.tif 000006
【図５】
0004086881.tif 000007
【図６】
0004086881.tif 000008
【図７】
0004086881.tif 000009